(57)【特許請求の範囲】
【請求項１】
アプリケーションが生成した文書データに応じて印刷装置が解釈可能な印刷データを生成する情報処理装置であって、
複数の設定シートを用いて印刷データを生成する際の印刷設定を行う際に、複数の設定シートに別れている複数の設定項目のそれぞれの値を組み合わせて一つの複合設定を複合設定リストに登録する複合設定登録手段と、
該複合設定の１つの名称を指定することにより、前記複合設定リストに登録されている複合設定の１つを選択する選択手段と、
前記選択手段により複合設定が選択された場合に、該複合設定のすべての設定項目のそれぞれの値を複数の設定シートに設定して表示するよう制御する表示制御手段と、
前記複合設定登録手段により登録される設定項目のうちの所定の設定項目について、該所定の設定項目内の詳細設定を項目設定リストに登録する項目設定登録手段と、
前記選択手段により選択されている複合設定に、前記項目設定登録手段により登録される所定の設定項目の設定値が設定されている場合に、当該複合設定から所定の設定項目の設定値を一時的に利用すべく、前記項目設定リストにテンポラリの選択肢を追加し、当該複合設定に設定されている設定項目の詳細設定の設定値を該テンポラリの選択肢に割り当てる選択肢追加手段と、
を有することを特徴とする情報処理装置。
【請求項２】
前記複合設定と関連付ける複合設定の名称を入力する入力手段と、
前記設定シートを介して設定項目のある値が変更された場合に、変更された値が前記複合設定の名称に関連付けられている設定項目の値と異なることを認識可能に、表示されている複合設定の名称を変更する名称割り付け手段とを更に有することを特徴とする請求項１記載の情報処理装置。
【請求項３】
前記複合設定登録手段による複合設定の登録は、複数の設定シートから可能であることを特徴とする請求項１または２に記載の情報処理装置。
【請求項４】
前記複合設定登録手段を含むプリンタドライバにより制御することを特徴とする請求項１乃至３のいずれかに記載の情報処理装置。
【請求項５】
前記登録された複合設定は、異なるプリンタドライバで利用可能であることを特徴とする請求項４記載の情報処理装置。
【請求項６】
前記複合設定登録手段により複合設定を登録する際に、該複合設定の前記所定の設定項目の設定値が設定されている場合に、前記所定の設定項目が既に前記設定項目リストに登録されているか判断する判断手段を更に有し、
前記判断手段により前記所定の設定項目が既に前記設定項目リストに登録されていないと判断された場合に、前記選択肢追加手段は、前記設定項目リストに前記テンポラリの選択肢を追加し、該複合設定に設定されている設定項目に割り当てることを特徴とする請求項１乃至５のいずれか１項に記載の情報処理装置。
【請求項７】
前記所定の設定項目は、前記文書データにスタンプを付加するスタンプ設定であることを特徴とする請求項１乃至６のいずれか１項に記載の情報処理装置。
【請求項８】
アプリケーションが生成した文書データに応じて印刷装置が解釈可能な印刷データを生成する情報処理方法であって、
複数の設定シートを用いて印刷データを生成する際の印刷設定を行う際に、複数の設定シートに別れている複数の設定項目のそれぞれの値を組み合わせて一つの複合設定を複合設定リストに登録する複合設定登録工程と、
該複合設定の１つの名称を指定することにより、前記複合設定リストに登録されている複合設定の１つを選択させる選択工程と、
前記選択工程で複合設定が選択された場合に、該複合設定のすべての設定項目のそれぞれの値を複数の設定シートに設定して表示するよう制御させる表示制御工程と、
前記複合設定登録工程で登録される設定項目のうちの所定の設定項目について、該所定の設定項目内の詳細設定を項目設定リストに登録する項目設定登録工程と、
前記選択工程で選択されている複合設定に、前記項目設定登録工程で登録される所定の設定項目の設定値が設定されている場合に、当該複合設定から所定の設定項目の設定値を一時的に利用すべく、前記項目設定リストにテンポラリの選択肢を追加し、当該複合設定に設定されている設定項目の詳細設定の設定値を該テンポラリの選択肢に割り当てる選択肢追加工程と、
を含むことを特徴とする情報処理方法。
【請求項９】
前記複合設定と関連付ける複合設定の名称を入力する入力工程と、
前記設定シートを介して設定項目のある値が変更された場合に、変更された値が前記複合設定の名称に関連付けられている設定項目の値と異なることを認識可能に、表示されている複合設定の名称を変更する名称割り付け工程とを更に含むことを特徴とする請求項８記載の情報処理方法。
【請求項１０】
前記複合設定登録工程による複合設定の登録は、複数の設定シートから可能であることを特徴とする請求項８または９に記載の情報処理方法。
【請求項１１】
前記複合設定登録工程は、情報処理装置のプリンタドライバにおける印刷設定工程に含まれることを特徴とする請求項８乃至１０のいずれかに記載の情報処理方法。
【請求項１２】
前記登録された複合設定は、異なるプリンタドライバで利用可能であることを特徴とする請求項１１記載の情報処理方法。
【請求項１３】
前記複合設定登録工程で複合設定を登録する際に、該複合設定の前記所定の設定項目の設定値が設定されている場合に、前記所定の設定項目が既に前記設定項目リストに登録されているか判断する判断工程を更に含み、
前記判断工程で前記所定の設定項目が既に前記設定項目リストに登録されていないと判断された場合に、前記選択肢追加工程は、前記設定項目リストに前記テンポラリの選択肢を追加し、該複合設定に設定されている設定項目に割り当てることを特徴とする請求項８乃至１２のいずれかに記載の情報処理方法。
【請求項１４】
前記所定の設定項目は、前記文書データにスタンプを付加するスタンプ設定であることを特徴とする請求項８乃至１３のいずれかに記載の情報処理方法。
【請求項１５】
アプリケーションが生成した文書データに応じて印刷装置が解釈可能な印刷データを生成するプリンタドライバプログラムが格納された記憶媒体であって、
複数の設定シートを用いて印刷データを生成する際の印刷設定を行う際に、複数の設定シートに別れている複数の設定項目のそれぞれの値を組み合わせて一つの複合設定を複合設定リストに登録する複合設定登録工程と、
該複合設定の１つの名称を指定することにより、前記複合設定リストに登録されている複合設定の１つを選択させる選択工程と、
前記選択工程で複合設定が選択された場合に、該複合設定のすべての設定項目のそれぞれの値を複数の設定シートに設定して表示するよう制御させる表示制御工程と、
前記複合設定登録工程で登録される設定項目のうちの所定の設定項目について、該所定の設定項目内の詳細設定を項目設定リストに登録する項目設定登録工程と、
前記選択工程で選択されている複合設定に、前記項目設定登録工程で登録される所定の設定項目の設定値が設定されている場合に、当該複合設定から所定の設定項目の設定値を一時的に利用すべく、前記項目設定リストにテンポラリの選択肢を追加し、当該複合設定に設定されている設定項目の詳細設定の設定値を該テンポラリの選択肢に割り当てる選択肢追加工程と、
を含むことを特徴とするコンピュータ読み取り可能なプログラムが格納された記憶媒体。
【請求項１６】
前記複合設定と関連付ける複合設定の名称を入力する入力工程と、
前記設定シートを介して設定項目のある値が変更された場合に、変更された値が前記複合設定の名称に関連付けられている設定項目の値と異なることを認識可能に、表示されている複合設定の名称を変更する名称割り付け工程とを更に含むことを特徴とする請求項１５記載の記憶媒体。
【請求項１７】
前記複合設定登録工程による複合設定の登録は、複数の設定シートから可能であることを特徴とする請求項１５または１６に記載の記憶媒体。
【請求項１８】
前記複合設定登録工程は、情報処理装置のプリンタドライバにおける印刷設定工程に含まれることを特徴とする請求項１５乃至１７のいずれかに記載の記憶媒体。
【請求項１９】
前記登録された複合設定は、異なるプリンタドライバで利用可能であることを特徴とする請求項１８記載の記憶媒体。
【請求項２０】
前記複合設定登録工程で複合設定を登録する際に、該複合設定の前記所定の設定項目の設定値が設定されている場合に、前記所定の設定項目が既に前記設定項目リストに登録されているか判断する判断工程を更に含み、
前記判断工程で前記所定の設定項目が既に前記設定項目リストに登録されていないと判断された場合に、前記選択肢追加工程は、前記設定項目リストに前記テンポラリの選択肢を追加し、該複合設定に設定されている設定項目に割り当てることを特徴とする請求項１５乃至１９のいずれかに記載の記憶媒体。
【請求項２１】
前記所定の設定項目は、前記文書データにスタンプを付加するスタンプ設定であることを特徴とする請求項１５乃至２０のいずれかに記載の記憶媒体。
【発明の詳細な説明】
【０００１】
【発明の属する技術分野】
本発明は、操作者が印刷設定を行うユーザインターフェース（以後ＵＩ）において、複数の設定項目をひとまとめにして扱うことで効率よく設定を行うための情報処理装置、情報処理方法、および、処理の手順を記憶した記憶媒体に関するものである。
【０００２】
【従来の技術】
一般にアプリケーションにより作成された文書データに基づいて印刷装置で解釈できる印刷データを生成する情報処理装置では、ユーザインターフェースを通して各種の印刷設定を行うことができる。プリンタドライバのユーザインタフェースにおいて、印刷設定の項目が多くて複雑な依存関係を持つ場合などには、いくつかの設定項目をひとまとめにして登録し、その登録された設定を操作者が選択することによって複数の設定項目をまとめて変更する機能をもつものがある。
【０００３】
例えばキヤノンのプリンタドライバを例にとってみと、グラフィックモード・解像度・カラー設定・TrueTypeの置換等の印字品位に関する項目を設定して、あらかじめアイコンと関連付けて登録しておき、印刷時にそれらのアイコンの中から印刷目的に合ったものを選択することで複数の印刷項目を一括して設定変更を行う「印刷目的設定」がある。
【０００４】
【発明が解決しようとする課題】
前述した「印刷目的設定」は、印刷品位であるグラフィックス関連の項目だけをターゲットとしていたので、一括変換といっても印刷品質の項目しか変わらず、印刷体裁や用紙サイズなどはその都度使用者が設定しなければならなかった。また、「印刷目的設定」は、印刷品位を設定するシートからのみ登録及び選択ができ、そのシートを開かないと設定の変更ができないという問題があった。
【０００５】
昨今のプリンタ及びプリンタドライバの機能は非常に多彩であるが、上記のプリンタドライバでは、入力用紙、出力用紙、給紙方法、排紙方法、部数、ページレイアウト等の設定は含まれていないため、それらの設定は個々に行わなければならない。これでは今後の多様なニーズには対応できない。例えば、銀行や保険会社等でいくつかの特定フォーマットでの印刷を扱うような場合、用紙・給紙等を組合わせて使う必要があるにもかかわらず、各々の項目を別々に設定し直さなければならないのは不便である。
【０００６】
そこで本発明は、プリンタドライバにおける登録対象の項目を広げることを第一の目的とする（仮に「全体登録」と呼ぶ）。
【０００７】
また本発明の第二の目的は、登録対象の項目を広げた場合に、登録機能が２重になる不具合をなくすことである。
【０００８】
例えばキヤノンのプリンタドライバには「スタンプ」という透かし印刷機能がある。これは、重ねる文字列・そのフォントの種類やサイズ・角度・色などの属性をあらかじめひとまとめにして名前をつけてスタンプＤＢ（データベース）に登録しておき、その名前をキーにして登録物を選択することで簡単に特定のパターンを重ねて印刷することが出来るというものである。このスタンプの設定を全体登録の属性の一つにする場合に、もし全体登録に名前（キー）ごと登録してからスタンプＤＢを更新すると、スタンプＤＢの登録内容は全体登録を行った時のものと異なることになる。この時、スタンプ属性を持つ全体登録を選択すると、そのスタンプは全体登録した時のものになるべきか、その後更新したものとなるべきか、非常に不明瞭となる。よって、この不具合をなくすことを目的としている。
【０００９】
また、従来の技術では、予めプリンタドライバに登録されている「印刷目的」という印刷品質を簡単に選択できる機能がある。これは印刷品質に関するコントロール群の組み合わせを予めプログラムで複数持っており、選択によって該当する設定部を一括変換するものである。この印刷目的に登録されている属性は、プリンタの機種によって異なる。例えば同じ「写真画像」を選択した場合でも、カラーの階調が高いプリンタと解像度が高いプリンタとでは最適な設定が異なるからである。ある機種で「写真画像」を選択した状態で印刷目的の登録を行い、他機種にExportした場合、その設定を選ぶと後者の機種における「写真画像」の設定で印刷されることになる。しかし、使用者が自身で各種の設定をしてから印刷目的の登録を行った場合、特にそれを他機種にExportすると、ユーザによるカスタム設定なのでドライバで勝手に設定を変えることはできず、またベース自体が異なるためベースを表示する意味がなくなり、非常に中途半端な情報表示になってしまう。
【００１０】
【課題を解決するための手段】
上記課題を解決するために、本発明は、アプリケーションが生成した文書データに応じて印刷装置が解釈可能な印刷データを生成する情報処理装置であって、複数の設定シートを用いて印刷データを生成する際の印刷設定を行う際に、複数の設定シートに別れている複数の設定項目のそれぞれの値を組み合わせて一つの複合設定を複合設定リストに登録する複合設定登録手段と、  該複合設定の１つの名称を指定することにより、前記複合設定リストに登録されている複合設定の１つを選択する選択手段と、前記選択手段により複合設定が選択された場合に、該複合設定のすべての設定項目のそれぞれの値を複数の設定シートに設定して表示するよう制御する表示制御手段と、前記複合設定登録手段により登録される設定項目のうちの所定の設定項目について、該所定の設定項目内の詳細設定を項目設定リストに登録する項目設定登録手段と、前記選択手段により選択されている複合設定に、前記項目設定登録手段により登録される所定の設定項目の設定値が設定されている場合に、当該複合設定から所定の設定項目の設定値を一時的に利用すべく、前記項目設定リストにテンポラリの選択肢を追加し、当該複合設定に設定されている設定項目の詳細設定の設定値を該テンポラリの選択肢に割り当てる選択肢追加手段とを有する。
【００１１】
また、前記複合設定と関連付ける複合設定の名称を入力する入力手段と、前記設定シートを介して設定項目のある値が変更された場合に、変更された値が前記複合設定の名称に関連付けられている設定項目の値と異なることを認識可能に、表示されている複合設定の名称を変更する名称割り付け手段とを更に有する。
【００１２】
また、前記複合設定登録手段による複合設定の登録は、複数の設定シートから可能である。
【００１３】
また、前記複合設定登録手段を含むプリンタドライバにより制御する。
【００１４】
また、前記登録された複合設定は、異なるプリンタドライバで利用可能である。
【００１６】
また、前記複合設定登録手段により複合設定を登録する際に、該複合設定の前記所定の設定項目の設定値が設定されている場合に、前記所定の設定項目が既に前記設定項目リストに登録されているか判断する判断手段を更に有し、前記判断手段により前記所定の設定項目が既に前記設定項目リストに登録されていないと判断された場合に、前記選択肢追加手段は、前記設定項目リストに前記テンポラリの選択肢を追加し、該複合設定に設定されている設定項目に割り当てる。
【００１７】
また、前記登録機能を有している設定項目は、前記文書データにスタンプを付加するスタンプ設定である。
【００１８】
本出願に係るその他の発明は、上記の発明を実現する方法とプログラム記憶媒体に記憶されているプログラムで実現することである。
【００１９】
【発明の実施の形態】
以下、図面を参照して本発明の実施例を詳細に説明する。
【００２０】
図１は、本発明を適用可能な情報処理装置の外観を説明する図であり、いわゆるＰＣ（パーソナルコンピュータ）としての構成要素、ディスプレイ、データ処理本体（制御ボード、ハードディスク、フロッピーディスクドライブ、ＣＤ−ＲＯＭドライブを含む）、入力装置（キーボード、図示しないポインティングデバイス）等から構成されている。
【００２１】
〔第１実施例〕
図２は、本発明の第１実施形態を示す情報処理装置の構成を説明するブロック図であり、ホストコンピュータ本体３０と、ホストコンピュータ本体３０を制御するホストコンピュータ内部２０とから構成される場合に対応する。
【００２２】
ホストコンピュータ内部２０において、１はＣＰＵで、ディスクコントローラ（ＤＫＣ）５を介して外部メモリ１２から読み出した制御プログラム、システムプログラム、アプリケーションプログラム等の各種のプログラムを後述するＲＡＭ２上に読み出して実行して、各種のデータ処理を行う。なお、ディスクコントローラ（ＤＫＣ）５は、ブートプログラム、種々のアプリケーション、データファイル等を記憶するＦＤ、ＨＤ、ＣＤ−ＲＯＭ、ＭＤ、ＭＯ等の外部メモリ１２とのアクセスを制御する。
【００２３】
なお、ＲＡＭ２は、図示しないオプションＲＡＭ等によりその容量を拡張できるように構成されており、主としてＣＰＵ１のワークエリアとして機能する。
【００２４】
３はキーボードコントローラ（ＫＢＣ）で、キーボード１０や不図示のポインティングデバイスからのキー入力を制御する。４はＣＲＴコントローラ（ＣＲＴＣ）で、ＣＲＴディスプレイ（ＣＲＴ）１１の表示を制御する。６はメインバスである。
【００２５】
なお、本発明は特に断らない限り、ＣＰＵ１がメインバス６を介してＲＡＭ２、ＫＢＣ３、ＣＲＴＣ４，ＤＫＣ５を制御して実施する。
【００２６】
外部メモリ１２は、ハードディスクなどの不揮発性記憶手段であり、文書データを生成するアプリケーションプログラムや、アプリケーションにより操作者が作成した文書データに基づいて、印刷装置が解析できるＰＤＬ（Page Description Language：ページ記述言語）や低レベル画像データからなる印刷データを生成するプリンタドライバプログラムなどが格納されている。
【００２７】
このように構成されたシステムにおいて、アプリケーションやデバイスドライバ（プリンタドライバ等）の詳細設定をユーザインターフェース（ＵＩ）を開いて設定変更する際に、ユーザによるＫＢ１０または不図示のポインティングデバイスからの入力を受け付け、その状態や過程を表示画面としてＣＲＴ１１上に表示する。
【００２８】
また、本発明の中で後述するように、「お気に入り」や「スタンプ」を登録したり読み出したりする記載があるが、特に断らない限り登録はＲＡＭ２または外部メモリ１２に対して行われるものとする。
【００２９】
本実施例では、印刷時に選択できるすべての設定項目を登録の対象とし、すべてのシートから新規登録や登録したアイコンの選択ができ、すべてのシートの項目をまとめて変更できるようにする。これにより、用紙サイズや給紙口を含めたマルチな組み合わせの登録・一括変更が出来、多様なニーズに対応することができる。
【００３０】
ただし、例えばデバイスオプションの設定など機種に大きく依存するような項目は、Exportすると不都合があるので登録対象にしない。
【００３１】
スタンプのようにそれ自体設定変更できるものを属性として持つ場合、設定のバッティングを防ぐために、全体登録に登録してある設定を一時的に利用できるテンポラリの選択肢を追加することで解決する。つまり、以下の動作となる。
【００３２】
スタンプを使う状態で全体登録を行い、そのアイコンを選択した場合、スタンプの選択肢に「<未登録スタンプ>」を加え、その選択肢に全体登録に登録してあるスタンプの設定を割り当てる。したがってスタンプの選択肢には既存のものと「<未登録スタンプ>」が存在し、既に登録されているものを選べばスタンプＤＢの設定が、「<未登録スタンプ>」を選べば全体登録に登録した設定が有効となる。これを実現するために、全体登録時にスタンプのキーをクリアする。
【００３３】
つまり、スタンプキー（実際にはスタンプ名称）があればスタンプDB中の設定を、スタンプキーがなければ「<未登録スタンプ>」（つまりお気に入り中のスタンプ設定）を使うことで、両者に差異があっても区別して使い分けることが出来るようになる。
【００３４】
スタンプ属性を持たない（つまりスタンプOffの）全体登録を選んだ場合は、スタンプの選択肢として「<未登録スタンプ>」は表示しない。あくまで全体登録の持つ属性を使うためのテンポラリの選択肢である。
【００３５】
印刷目的でカスタム設定を行った時も同類の処理を行う。
【００３６】
印刷目的で既存の選択肢を選んで全体登録行った場合は、印刷目的属性は選択肢のキーとなる。この全体登録を選択した時は、登録時に選んでいた印刷目的がカレント選択となる。一方、ユーザが詳細設定を変更した状態で全体登録を行った場合、ユーザはその設定を望んでいるものと判断し、選択肢のキーをクリアする。この印刷目的のキーを持たない全体登録を選択した時には、印刷目的には「その他の設定」が追加されてカレント選択となり、その選択肢には全体登録時に登録された詳細設定が割り当てられる。
【００３７】
上記動作は、他機種のドライバにExportしたときに特に、どのような設定がなされているかを操作者が認識できるので意味を持つ。
【００３８】
図３に示したＤＬＧ１は、図２に示したＣＲＴ１１に表示されるプリンタドライバのプロパティにおけるダイアログの一例を示す図であり、操作者はＫＢ１０などを介して、例えば、印刷品質と印刷体裁を含む印刷項目の登録、選択、追加、管理情報の編集を行うことが出来る。以後、このような印刷品質や印刷体裁を含む複数の印刷項目の登録機能を「お気に入り」と呼ぶ。また「お気に入り」で登録される設定を複合設定と呼ぶ。複合設定とは、印刷品質や印刷体裁を含む複数の印刷項目を一まとめにして登録設定されたものであり、後述するように複数の設定シートから登録、選択等操作することが可能となっている。
【００３９】
以下、図３のダイアログ例及び図４のフローチャートを用いて、お気に入り全般に関する情報処理装置の制御の説明を行う。
【００４０】
まずステップＳ４０１において、ＣＰＵ１は、ＤＬＧ１のコンボボックスＬＳＴ１１を操作者がＫＢ１０などで操作することにより、カレント（現在選択状態）の「お気に入り」の選択が変更されたかを判断する。ＣＰＵ１が「お気に入り」の選択が変更されたと判断した場合、ステップＳ４０２において、「お気に入り」の選択変更に伴う一連の処理を行う。ステップＳ４０２の詳細は後述する。続いてステップＳ４０３において、カレントの設定に関するコンフリクト対応の処理を行う。ステップＳ４０３の詳細は後述する。続いてステップＳ４０４において、全シートのコントロールを新しい設定に応じて変更し、ステップＳ４０１に処理を戻す。
【００４１】
ステップＳ４０１で「お気に入り」の選択が変更されていない場合は、ステップＳ４０５において、ＣＰＵ１は、操作者により追加ボタンＢＴＮ１１が押下されたか否かを判断する。追加ボタンＢＴＮ１１が押下されたと判断された場合、ステップＳ４０６において、ＣＲＴＣ４は、図１２に示したＤＬＧ２をＣＲＴ１１に表示して、登録に関する一連の処理を行う。ステップＳ４０６の処理の詳細は後述する。続いてステップＳ４０７において、ＬＳＴ１１の「お気に入り」の表示を新しく登録した名称がカレント（選択状態）になるように変更し、ステップＳ４０１に処理を戻す。
【００４２】
ステップＳ４０５において、追加ボタンＢＴＮ１１が押下されていないと判断された場合は、ステップＳ４０８において、ＣＰＵ１は、操作者により編集ボタンＢＴＮ１２が押下されたか否かを判断する。編集ボタンＢＴＮ１２が押下されたと判断された場合、ステップＳ４０９において、ＣＲＴＣ４は、図１７に示したＤＬＧ３をＣＲＴ１１に表示して、管理情報の編集に関する一連の処理を行う。ステップＳ４０９の処理の詳細は後述する。
【００４３】
ステップＳ４０８において、編集ボタンＢＴＮ１２が押下されていないと判断された場合は、ステップＳ４１０において、ＣＰＵは、操作者により追加ボタンＢＴＮ１１と編集ボタンＢＴＮ１２以外の属性（詳細設定）が変更されたか否かを判断する。属性の詳細設定が変更されたと判断された場合は、ステップＳ４１１において、ＬＳＴ１１の選択中の「お気に入り」の設定内容と異なることになるので、それを明示するためにＣＲＴＣ４はＬＳＴ１１の表示を加工する。具体的には、例えば色を黒から他の色に変えたり、表示する名称のテキストを変えたりする。図５は表示が変更された状態の表示例である。
【００４４】
ステップＳ４１２において、ＣＰＵ１は、使用者がダイアログを閉じたか否かを判断する。閉じていなければステップＳ４０１に処理を戻し、使用者がダイアログを閉じるまで行う。
【００４５】
次に、図４のフローチャートのステップＳ４０２で記載した、「お気に入り」の選択に関する一連の処理を、図６のフローチャートを用いて説明する。
【００４６】
まずステップＳ６０１において、ＣＰＵ１は、現在選択されている「お気に入り」が他に登録されているお気に入り設定に変更されたか否かを判断する。「お気に入り」が変更されて確定したと判断された場合は、ステップＳ６０２において、カレント設定を保持するバッファ領域を、選択したお気に入りの属性で更新する。変更対象は、カレントページだけでなく、非アクティブページを含むＵＩ上の全コントロールである。つまり、図３では、カレントページが「ページ設定」であり、このページで「お気に入り」を別の登録設定に選択変更した場合は、非アクティブページである「仕上げ」「給紙」「印刷品質」を含む全シート（ページ）の設定項目が変更対象となる。これは、どのシートから選択変更しても変更対象は同じとなり、例えば「仕上げ」のページから「お気に入り」を選択変更した場合は、「ページ設定」「給紙」「印刷品質」の設定項目が変更対象となる。
【００４７】
ここで、登録・一括変換対象となる項目の具体例を挙げる。
【００４８】
入出力用紙サイズ、用紙の向き、部数、印刷体裁であるページレイアウト（Ｎｕｐ、ポスター等）、拡縮率、スタンプ、オーバレイ、印刷方法（片面、両面、製本印刷）、製本印刷の詳細、とじ方向、とじ代、排紙方法（ソート、ステイプル等）、ステイプル位置、給紙方法（全ページ同じ給紙、最初と最後を別給紙、他）、用紙名称、印刷目的、解像度、カラー設定、などである。
【００４９】
〔コンフリクト処理〕
図４のフローチャートのステップＳ４０３で記載した、コンフリクト処理について図７のフローチャートを用いて説明する。
【００５０】
まず、ステップＳ７０１において、ＣＰＵ１は、図４のステップＳ４０１で選択された「お気に入り」の中で図３の「スタンプ（Ｗ）：」にチェックされ、スタンプ機能が「Ｏｎ」であるか否かを判断する。スタンプ機能を使用する（図８）と判断された場合、ステップＳ７０２において、ＣＰＵ１は、スタンプの「キー（詳細設定や名称）」があるかどうかチェックする。スタンプの名称はチェックボックス「スタンプ（Ｗ：）」の右にあるコンボボックスに保持されている「マル秘」「社外秘」「コピー禁止」「CONFIDENTIAL」「DRAFT」などである。スタンプの詳細設定は、図９に示すように、「座標」「角度」「テキスト（スタンプ内容）」「フォント」「スタイル」「サイズ」「色」「囲み」「透かし／重ね」「印刷ページ」などである。
【００５１】
もしスタンプの「キー」なければ（詳細設定や名称が同じスタンプがなければ）、ステップＳ７０３において、ＲＡＭ２内のスタンプのリストに、例えば「＜未登録スタンプ＞」の選択肢を追加し、且つこの選択肢をスタンプのカレント選択にする。これは「お気に入り」に登録してあるスタンプ属性を利用するための選択肢である。また、ステップＳ７０４において、今後この選択肢が選択された時にお気に入りに登録されている設定が使われるよう、該選択肢に該スタンプ設定を割り当てる。
【００５２】
ステップＳ７０２の判断にて、スタンプキーがあると判断された場合は、「＜未登録スタンプ＞」選択肢をリスティングせず、ステップＳ７０５において、「キー」に応じたスタンプをカレント選択にする。続いて、ステップＳ７０６において、「お気に入り」が持つスタンプキーに対応したスタンプを外部メモリ１２のスタンプＤＢから探し、その設定をカレント設定にコピーして使う。
【００５３】
ステップＳ７０１の判定にて、そもそもスタンプを使わない設定であると判定された場合（図１０）は、ステップＳ７０７において、「＜未登録スタンプ＞」はリストに表示しない（図１１の丸で囲まれた部分）。
【００５４】
図８〜９は、スタンプがＯｎで且つスタンプキーがないお気に入りを選択した時のＵＩ例（「＜未登録スタンプ＞」の列挙あり）であり、図１０〜１１はスタンプＯｆｆ時のＵＩ例（「＜未登録スタンプ＞」の列挙なし）である。
【００５５】
〔登録処理〕
図４のフローチャートのステップＳ４０６で記載した、「お気に入り」の登録に関する一連の処理を、図１２のダイアログ例及び図１３のフローチャートを用いて説明する。図１２に示したＤＬＧ２は、名称・アイコン・コメント等の管理情報を付加できるダイアログの一例である。
【００５６】
まず、ステップＳ１３０１において、ＣＰＵ１は、使用者によるＫＢ１０を介した名称・アイコン・コメント等の管理情報をＲＡＭ２に入力する。ステップＳ１３０２において、ＣＰＵ１は、入力された情報が「キャンセル」であるかを判断する。もし、ＣＰＵ１が「キャンセル」が入力されたと判断した場合は、何もせずに終了する。
【００５７】
ステップＳ１３０２で「キャンセル」でないと判断された場合は、ステップＳ１３０３において、入力された情報が「ＯＫ」であるかを判断する。もし、ＣＰＵ１が「ＯＫ」が入力されたと判断した場合は、登録処理を開始する。まずステップＳ１３０４において、ＣＰＵ１は、図１２のＥＤＴ２１に「名称」が入力済みかをチェックする。「名称」が未入力の場合は、ステップＳ１３０５において、図１４のような「警告メッセージ」を表示し、再度入力を促し、ステップＳ１３０１に処理を戻す。「名称」は「お気に入り」を管理するための「キー」となるため、入力は必須となる。
【００５８】
「名称」が入力済みの場合は、ステップＳ１３０６において、指定した名称が既存のデータと重なっていないかチェックする。重複するデータがない場合は、ステップＳ１３０７において、指定した名称を「キー」として、カレントの設定を外部メモリ１２のお気に入りＤＢに新規登録する。既に重複する同名称のデータが存在した場合は、ステップＳ１３０８において、上書きするか使用者に確認メッセージを表示させた後、ステップＳ１３０９において、上書きであればお気に入りＤＢ中の既存のデータを置き換えて登録する。上書きしないのであればステップＳ１３０１に処理を戻し、再度名称を入力し直す。図１５は上書き確認メッセージの例である。
【００５９】
ステップＳ１３０７またはステップＳ１３０９でお気に入りＤＢに登録する場合は、ステップＳ１３１０において、カレントの設定を一部加工してから登録する。この処理の詳細は後述する。登録対象は、カレントページだけでなく、非アクティブページを含むＵＩ上の全コントロールである。どこのシートから登録しても、登録対象は同じとなる。
【００６０】
上記処理を、ＯＫまたはキャンセルが押下されるまで続ける。
【００６１】
〔設定の加工処理〕
図１３のフローチャートのステップＳ１３１０で記載した設定の加工について、図１６のフローチャートを用いて説明する。
【００６２】
ステップＳ１６０１において、カレントの設定でスタンプ機能を「Ｏｎ」にしているか否か判断する。スタンプ機能を使用する設定だと判断された場合、ステップＳ１６０２において、スタンプのキーをクリアする。スタンプ自体にも登録機能があり、通常スタンプ名称をキーにして登録や呼び出しを行っているが、そのキーをクリアすることで図７で説明した処理が可能となる。
【００６３】
〔編集フローチャート〕
図４のフローチャートのステップＳ４０９で記載した、お気に入りの編集に関する一連の処理を、図１７のダイアログ例及び図１８のフローチャートを用いて説明する。
【００６４】
まずステップＳ１８０１において、ＣＰＵ１は、ＬＳＴ３１に示したお気に入り一覧リストから、いずれかの既登録のお気に入りが選択さているかを判断する。ＬＳＴ３１にはドライバで用意したデフォルト設定とユーザが登録したユーザ設定とが列挙される。選択されていると判断された場合は、ステップＳ１８０２において、ＣＰＵ１は、現在選択されている「お気に入り」がデフォルト設定であるか否かを判断する。デフォルト設定であると判断された場合は、ステップＳ１８０３において、ユーザが編集できないように管理情報コントロールと削除ボタン等をＤｉｓａｂｌｅする。また、ユーザ設定であると判断された場合は、ステップＳ１８０４において、すべてのコントロールをＥｎａｂｌｅにし、そのお気に入りに割り当てられた管理情報（名称・アイコン・コメント等）をＣＲＴ１１に表示させる。図１７はデフォルト選択時、図１９はユーザ設定選択時のＵＩ例である。アイコンにマークを付けることで見た目にも区別されている。この区別はお気に入り選択部でも同様である（図２０）。
【００６５】
ユーザ設定選択時は、続いてステップＳ１８０５において、ＣＰＵ１は、管理情報の編集を行う。ステップＳ１８０６において、ＣＰＵ１は、削除ボタンＢＴＮ３１が押下されたかを判断する。削除ボタンＢＴＮ３１が押下された場合は、ステップＳ１８０７において、メッセージで使用者に確認後（図２１はメッセージ例）、ＣＰＵ１は、お気に入りＤＢから現在指定している選択肢を削除する。
【００６６】
削除ボタンＢＴＮ３１が押されていない場合は、ステップＳ１８０８において、ＣＰＵ１は、ファイル保存ボタンＢＴＮ３３が押下されたかを判断する。ファイル保存ボタンＢＴＮ３３が押下されたと判断した場合は、ステップＳ１８０９において、現在の設定項目の設定をファイルにセーブして、他のクライアントにＥｘｐｏｒｔできるようにする外部メモリ１２にファイルとして格納する。
【００６７】
ファイル保存ボタンＢＴＮ３３が押されていない場合は、ステップＳ１８１０において、ＣＰＵ１は、ファイル読み込みボタンＢＴＮ３２が押下されたかを判断する。ファイル読み込みボタンＢＴＮ３２が押下されたと判断された場合は、ステップＳ１８１１において、ＣＰＵ１は、外部メモリ１２に格納されているファイルにセーブしてある複合設定である「お気に入り」をロードして、お気に入りＤＢに追加するＩｍｐｏｒｔ処理を行う。
【００６８】
ファイル読み込みボタンＢＴＮ３２が押下されていない場合は、ステップＳ１８１２において、ＣＰＵ１は、ダイアログが閉じられたかを判断する。ダイアログが閉じられてない場合は、ステップＳ１８１３において、ＣＰＵ１は、変更があったかを判断する。変更がある場合は、変更後の設定を外部メモリ１２のお気に入りＤＢに残す処理を行う。変更されている場合で、ステップＳ１８１４において指定名称が既存の他の設定と重なると判断された場合は、ステップＳ１８１５で使用者に上書きするか確認した後、ステップＳ１８１６において、ＣＰＵ１は、上書きであればその既存のデータを置き換えて登録し、上書きしないのであれば再度を入力を促す。ステップＳ１８１４において同名称のデータが存在しなければ、ステップＳ１８１６においてＣＰＵ１は、編集中のデータに上書き登録する。
【００６９】
このように、本発明の第１実施例では、印刷依頼時にプリンタドライバで設定できるすべての設定項目を登録の対象とし、すべてのシートから新規登録や登録したアイコンの選択ができ、すべてのシートの項目をまとめて変更できるるので、用紙サイズや給紙口を含めたマルチな組み合わせの登録・一括変更が出来、多様なニーズに対応することができ、またすべてのシートから新規登録や登録されているアイコンの選択ができるので、使用者の操作性が向上した。
【００７０】
また、「スタンプ」のようにそれ自体設定変更できるものを属性として持つ場合に、設定のバッティングを防ぐために、印刷設定の登録に登録してある設定を一時的に利用できるテンポラリの選択肢を追加することで解決する。つまり、以下の動作となる。
【００７１】
スタンプを使う状態で全体登録を行い、そのアイコンを選択した場合、スタンプの選択肢に「<未登録スタンプ>」を加え、その選択肢に全体登録に登録してあるスタンプの設定を割り当てる。したがってスタンプの選択肢には既存のものと「<未登録スタンプ>」が存在し、既に登録されているものを選べばスタンプＤＢの設定が、「<未登録スタンプ>」を選べば全体登録に登録した設定が有効となる。これを実現するために、全体登録時にスタンプのキーをクリアする。
【００７２】
つまり、スタンプキー（実際にはスタンプ名称）があればスタンプＤＢ中の設定を、スタンプキーがなければ「<未登録スタンプ>」（つまりお気に入り中のスタンプ設定）を使うことで、両者に差異があっても区別して使い分けることが出来るようになる。
【００７３】
スタンプ属性を持たない（つまりスタンプ「Ｏｆｆ」の）全体登録を選んだ場合は、スタンプの選択肢として「<未登録スタンプ>」は表示しない。あくまで全体登録の持つ属性を使うためのテンポラリの選択肢である。
【００７４】
〔第２実施例〕
上記第１実施形態では、図４のステップＳ４０３及び図１３のステップＳ１３１０でスタンプの処理に関して説明したが、ここでは図２２及び図２３を用いて印刷目的に置き換えた説明を行う。
【００７５】
〔コンフリクト処理〕
図４のフローチャートのステップＳ４０３で記載した、コンフリクト処理について図２２のフローチャートを用いて説明する。
【００７６】
まずステップＳ２２０１において、ＣＰＵ１は、印刷目的の「キー」があるかどうかチェックする。もし印刷目的の「キー」がないと判断された場合は、ステップＳ２２０１において、印刷目的のリストに例えば「その他の設定」の選択肢を追加し、且つこの選択肢を印刷目的のカレント選択にする。これはお気に入りに登録してある印刷目的の設定を利用するための選択肢である。続いて、ステップＳ２２０３では、今後この選択肢が選択された時にお気に入りに登録されている設定が使われるように、該選択肢に該設定内容を割り当てる。
【００７７】
ステップＳ２２０１の判断にて、印刷目的キーがあると判断された場合は、ステップＳ２２０４において、ＣＰＵ１は、「その他の設定」選択肢をリスティングせず、キーに応じた印刷目的をカレント選択にする。これはドライバが予め持っている設定を使用し、機種によって最適な登録内容となる。この使い分けは、一度ファイルにＥｘｐｏｒｔした設定を他機種で利用する時に特に意味を持つ。続いてステップＳ２２０５において、ＣＰＵ１は、プリンタドライバが持つ設定値をカレント設定にコピーする。
【００７８】
図２４はデフォルト設定が登録されているお気に入りを選択した場合、図２５はカスタム設定が登録されているお気に入りを選択した場合のＵＩ例である。
【００７９】
〔設定の加工処理〕
図１３のフローチャートのステップＳ１３１０で記載した、設定の加工について図２３のフローチャートを用いて説明する。
【００８０】
図２６〜２７は、印刷目的の詳細設定を変更するために開いたＵＩ例である。ここで変更があると、図２８に示したように、設定変更があることを意味するカスタムマークが表示される。
【００８１】
まず、ステップＳ２３０１において、ＣＰＵ１は、印刷目的に設定変更があるかを判断する。詳細設定が変更されていると判断された場合は、ステップＳ２３０２において、ＣＰＵ１は、印刷目的のキーをクリアする。クリアすることで図２２で説明した処理が可能となる。
【００８２】
このように本発明の第２の実施例では、印刷目的で既存の選択肢を選んで印刷項目登録行った場合に、印刷目的属性は選択肢のキーとし、この印刷項目登録を選択した時は、登録時に選んでいた印刷目的がカレント選択となる。一方、使用者が詳細設定を変更した状態で全体登録を行った場合、ユーザはその設定を望んでいるものと判断し、選択肢のキーをクリアする。この印刷目的のキーを持たない全体登録を選択した時には、印刷目的には「その他の設定」が追加されてカレント選択となり、その選択肢には全体登録時に登録された詳細設定が割り当てられる。
【００８３】
上記動作は他機種のドライバにExportしたときに特に意味を持つ。
【００８４】
なお、上記第１及び第２実施例で示された処理は、主としてＣＰＵ１が処理するものであり、その制御プログラムは外部のメモリカードという形態でも実現できる。すなわち、前述した各実施形態の機能を実現するプリンタドライバのプログラムコードを記憶した記憶媒体を、システムあるいは装置に供給し、そのシステムあるいは装置のコンピュータ（またはＣＰＵやＭＰＵ）が記憶媒体に格納されたプログラムコードを読み出し、実行することによっても、達成されることは言うまでもない。
【００８５】
この場合、記憶媒体から読み出されたプログラムコード自体が前述した実施形態の機能を実現することになり、そのプログラムコードを記憶した記憶媒体は本発明を構成することになる。本発明のプログラムコードを格納した記憶媒体のメモリマップを図２９に示す。
【００８６】
プログラムコードを供給するための記憶媒体としては、例えば、プロッピーディスク、ハードディスク、光ディスク、光磁気ディスク、ＣＤ−ＲＯＭ、ＣＤ−Ｒ、磁気テープ、不揮発性メモリカード、ＲＯＭ、ＤＶＤ等を用いることができる。
【００８７】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれることは言うまでもない。
【００８８】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００８９】
以上説明したように、本発明は、プリンタドライバにおける複数の印刷項目を登録しているアイコンを利用することで、すべての設定項目の変更を１アクションで簡単に行うことが出来る。例えば全シートの内容を簡単に標準に戻すことも出来るし、最初のシートだけで全シート分の設定変更が出来るメリットもある。全シートに共通のコントロールがあり同じ操作が出来るので、どのシートにいても上記一括変更を行うことができる。
【００９０】
更に、スタンプなどのように、それ自体に登録機能があり、通常そこから選択して使う機能のひとつをお気に入りに登録してから使う場合、もしその後スタンプＤＢに変更が加えられていると両者で設定内容が異なってしまい、どちらを優先すべきか不明確である。
【００９１】
そこで本発明では、お気に入りに登録されているスタンプを使う場合、テンポラリの選択肢を設けてそれに設定を割り当てることで、その問題を解消する。すなわち、スタンプＤＢに登録されている設定を使うには普通に登録名で選択し、お気に入りに登録されている設定を使うにはそのテンポラリの選択肢を選択する。
【００９２】
更に、プリンタドライバの対応機種が複数あり、印刷品位の項目などのようにその機種間で同じ選択肢を持つがその属性（詳細な設定内容）が各機種で異なる（機種に応じて最適な組合わせにしてある）機能を使用する際に、デフォルトに変更を加えて使う場合、ベースが判るようにデフォルトにカスタムマークを付ける仕組みになっているが、これをお気に入りに登録してから他機種用にＥｘｐｏｒｔして使う場合、ベースとなるデフォルト自体が異なるのでベースを表示することに意味がなくなるため、本発明では、印刷目的に変更を加えてから登録されたお気に入りを使う場合、専用の選択肢を設けてそれに設定を割り当てることで、その問題を解消できるという効果が得られる。
【発明の効果】
以上説明したように、本発明によれば、アプリケーションが生成した文書データに応じて印刷装置が解釈可能な印刷データを生成する情報処理装置において、複数の設定シートを用いて印刷データを生成する際の印刷設定を行う際に、複数の設定シートに別れている複数の設定項目のそれぞれの値を組み合わせて一つの複合設定を複合設定リストに登録し、該複合設定の１つの名称を指定することにより、前記複合設定リストに登録されている複合設定の１つを選択し、複合設定が選択された場合に、該複合設定のすべての設定項目のそれぞれの値を複数の設定シートに設定して表示するよう制御し、更に、登録される設定項目のうちの所定の設定項目について、該所定の設定項目内の詳細設定を項目設定リストに登録し、選択されている複合設定に、該登録される所定の設定項目の設定値が設定されている場合に、当該複合設定から所定の設定項目の設定値を一時的に利用すべく、項目設定リストにテンポラリの選択肢を追加し、当該複合設定に設定されている設定項目の詳細設定の設定値を該テンポラリの選択肢に割り当てる仕組みが提供されるため、複合設定の１つの名称を指定することにより、複数の設定シートに分かれている複数の設定項目のそれぞれの値を一括して選択でき、選択された設定項目のそれぞれの値が設定シートに反映して表示されるので視覚的に認識でき、更には複合設定に所定の設定項目の設定値が登録されている場合に項目設定リストにテンポラリの選択肢を追加して、複合設定に設定されている設定項目の詳細設定の設定値をテンポラリの選択肢に割り当てることで、この複合設定から所定の設定項目の設定値を利用することが可能となるという効果が得られる。
【図面の簡単な説明】
【図１】本発明に適用したシステム構成の一例を示す図
【図２】ホストコンピュータのブロック構成図
【図３】お気に入りを操作するコントロールを含むダイアログ例を示す図
【図４】お気に入り全体の流れを示すフローチャート
【図５】詳細設定変更時のお気に入り表示例を示す図
【図６】お気に入り変更時の処理のフローチャート
【図７】お気に入り選択時の、スタンプのコンフリクト処理のフローチャート
【図８】「＜未登録スタンプ＞」表示の例（１）を示す図
【図９】「＜未登録スタンプ＞」表示の例（２）を示す図
【図１０】「＜未登録スタンプ＞」非表示の例（１）を示す図
【図１１】「＜未登録スタンプ＞」非表示の例（２）を示す図
【図１２】お気に入り追加ダイアログの例を示す図
【図１３】お気に入り追加処理のフローチャート
【図１４】名称未入力時のメッセージ例を示す図
【図１５】上書き確認時のメッセージ例を示す図
【図１６】お気に入り登録時の、スタンプのデータ加工処理のフローチャート
【図１７】お気に入り編集ダイアログの例を示す図
【図１８】お気に入り編集処理のフローチャート
【図１９】プログラムデフォルトとユーザ登録選択時の差（１）を示す図
【図２０】プログラムデフォルトとユーザ登録選択時の差（２）を示す図
【図２１】削除確認時のメッセージ例を示す図
【図２２】お気に入り選択時の、印刷目的のコンフリクト処理のフローチャート
【図２３】お気に入り登録時の、印刷目的のデータ加工処理のフローチャート
【図２４】「その他の設定」非表示の例を示す図
【図２５】「その他の設定」表示の例を示す図
【図２６】印刷目的の詳細設定（１）を示す図
【図２７】印刷目的の詳細設定（２）を示す図
【図２８】印刷目的の詳細設定変更時の画面を示す図
【図２９】データ処理プログラム及びデータを格納する記憶媒体のメモリマップを示す図
【図１】
0003728127.tif 000002
【図２】
0003728127.tif 000003
【図３】
0003728127.tif 000004
【図４】
0003728127.tif 000005
【図５】
0003728127.tif 000006
【図６】
0003728127.tif 000007
【図７】
0003728127.tif 000008
【図８】
0003728127.tif 000009
【図９】
0003728127.tif 000010
【図１０】
0003728127.tif 000011
【図１１】
0003728127.tif 000012
【図１２】
0003728127.tif 000013
【図１３】
0003728127.tif 000014
【図１４】
0003728127.tif 000015
【図１５】
0003728127.tif 000016
【図１６】
0003728127.tif 000017
【図１７】
0003728127.tif 000018
【図１８】
0003728127.tif 000019
【図１９】
0003728127.tif 000020
【図２０】
0003728127.tif 000021
【図２１】
0003728127.tif 000022
【図２２】
0003728127.tif 000023
【図２３】
0003728127.tif 000024
【図２４】
0003728127.tif 000025
【図２５】
0003728127.tif 000026
【図２６】
0003728127.tif 000027
【図２７】
0003728127.tif 000028
【図２８】
0003728127.tif 000029
【図２９】
0003728127.tif 000030